(57)【特許請求の範囲】
【請求項１】
リレーブロックからなる電気接続箱のケース底面に電線ガイド部を設け、該電線ガイド部に沿って、該リレーブロックの内部回路を接続する電線を上記ケース底面に這わせて配策し、該電線の両端をそれぞれ中継端子の一端に形成した圧接刃と圧接接続させると共に、該圧接刃のスロット両側先端間をガス溶接し、あるいは、該圧接刃と電線とをガス溶接する一方、
上記各中継端子の他端に雌端子を設け、上記リレーブロックに搭載したリレー、ヒューズあるいは／およびコネクタの雄端子と雌雄嵌合接続させ、かつ、
上記ケースに上記中継端子が上記ケース底面側より挿入される収容係止部を設け、該収容係止部は外部電線端末に圧着接続する端子も上記ケース底面側より挿入して収容係止できる形状とし、前記中継端子と電線端末圧着端子とを収容係止できる共用の収容係止部としていることを特徴とする電気接続箱。
【請求項２】
上記リレーブロック内に縦バスバーを収容し、縦バスバーを電源分配回路用とする一方、上記電線は電源分配回路用以外に用いるものとしている請求項１に記載の電気接続箱。
【発明の詳細な説明】
【０００１】
【発明の属する技術分野】
本発明は、電気接続箱に関し、詳しくは、自動車内に配策されるワイヤハーネスを分岐接続するリレーブロックからなる電気接続箱において、該電気接続箱内で回路間接続をする電線がループ状に垂れ下がらないものである。
【０００２】
【従来の技術】
自動車に配策されるワイヤハーネスを分岐接続する電気接続箱は、図９（Ａ）に示すように、リレー収容部３、コネクタ収容部４、ヒューズ収容部５をケース２上面に備えており、電気接続箱１内での回路間接続は縦バスバー（図示せず）および電線ｗを用いて行っている。
【０００３】
電気接続箱１内の全ての回路接続を縦バスバーにより形成することも考えられるが、電気接続箱１のケース２内の限られたスペースに各種搭載部品を密集して配置しているため困難であり、主に、大電流からなる電源分配回路を縦バスバーで形成し、その他の回路を電線ｗを用いて回路形成することとしている。
【０００４】
【発明が解決しようとする課題】
電気接続箱１内の回路接続を電線ｗを用いて行う場合、図９（Ｂ）に示すように、電線ｗの両端に圧着した端子６を端子収容部２ａにケース２下面から垂直に挿入するため、電線ｗをあまり短くすることはできない。
したがって、端子６が端子収容部２ａに挿入係止された後は、図９（Ａ）に示すように、電線ｗがループ状に垂れ下がることとなってしまう。
【０００５】
しかしながら、電線ｗが電気接続箱１の下面より大きくループ状に垂れ下がることで、搬送中や車両への組み付け作業時などにおいて、電線ｗが引っ掛ってしまい、作業能率の低下や破損による電気接続箱の品質低下を招く問題が生じていた。
【０００６】
本発明は、上記問題に鑑みてなされたもので、電気接続箱から電線が垂れ下がらないようにして、作業能率の向上や電気接続箱の品質向上などを図ることを課題としている。
【０００７】
【課題を解決するための手段】
上記課題を解決するため、本発明は、リレーブロックからなる電気接続箱のケース底面に電線ガイド部を設け、該電線ガイド部に沿って、該リレーブロックの内部回路を接続する電線を上記ケース底面に這わせて配策し、該電線の両端をそれぞれ中継端子の一端に形成した圧接刃と圧接接続させると共に、該圧接刃のスロット両側先端間をガス溶接し、あるいは、該圧接刃と電線とをガス溶接する一方、
上記各中継端子の他端に雌端子を設け、上記リレーブロックに搭載したリレー、ヒューズあるいは／およびコネクタの雄端子と雌雄嵌合接続させ、かつ、
上記ケースに上記中継端子が上記ケース底面側より挿入される収容係止部を設け、該収容係止部は外部電線端末に圧着接続する端子も上記ケース底面側より挿入して収容係止できる形状とし、前記中継端子と電線端末圧着端子とを収容係止できる共用の収容係止部としていることを特徴とする電気接続箱を提供している。
【０００８】
上記構成とすると、電線を電気接続箱のケース底面に沿って配策しており、電線がケースの外側に垂れ下がることがないので、搬送中や車両への組み付け作業時などに、電線に引っ掛ってしまうことがなく、作業能率の向上や電気接続箱の品質向上を図ることができる。
【０００９】
上記リレー等と雌雄嵌合接続する中継端子と上記電線との接続は、中継端子の一端の圧接刃に電線を圧接接続するだけでなく、圧接刃のスロット両側の先端間を溶接、あるいは、圧接刃全体と電線とを溶接しているので、該圧接接続部の接続信頼性が向上すると共に、カバーなどを用いて該圧接接続部を保護する必要もなくなる。
また、カバーを被せる必要がなく、電線が垂れ下がることもないので、電気接続箱自体の低背化を図ることもできる。
【００１１】
上記構成とすると、リレーブロックの底面に沿って電線を配策する際に、電線ガイドに沿って配策すればよく作業性が向上すると共に、配策後も電線が電線ガイドにより位置決めされているため、電線がバラけることも防ぐことができる。
【００１２】
上記リレーブロック内に縦バスバーを収容し、縦バスバーを電源分配回路用とする一方、上記電線は電源分配回路用以外に用いるものとしている
即ち、電源分配回路からなる大電流回路を縦バスバーで回路配策し、残りの中電流回路や小電流回路をケース底面を這って配策される電線により形成している。
【００１３】
また、上記のように、上記ケースに上記中継端子の収容係止部を設け、該収容係止部は電線端末に圧着接続する端子を収容係止できる形状とし、中継端子と電線端末圧着端子との共用で用いられる構成としている。
【００１４】
つまり、リレーブロックのケース底面を這うように配策される電線に接続される中継端子の端子収容部を、外部電線の端末に圧着接続された端子の収容部としても共用して用いることができるように汎用化することで、仕様変更等の回路変更の際にもケースを新たに起工することなくフレキシブルに対応することができる。
【００１５】
【発明の実施の形態】
本発明の実施形態を図面を参照して説明する。
実施形態の電気接続箱はリレーブロック１０からなり、図１は該リレーブロック１０の底面図を示している。
リレーブロック１０は、ヒューズ収容部１２、リレー収容部１３、コネクタ収容部１４を設けており、大電流用となる電源分配回路は縦バスバー１５をケース底面１１ａの所要位置に挿入して形成していると共に、中電流回路および小電流回路は電線ｗ１、ｗ２をケース底面１１ａに這わして形成している。
【００１６】
電線ｗ１、ｗ２の両端には中継端子２０、４０が接続されており、中継端子２０、４０をケース１１のキャビティ１８、１８’に収容係止している。
中継端子２０は、図２（Ａ）（Ｂ）（Ｃ）に示すように、一端にテーパー部２０ａ−１を有する一対の圧接刃２０ａを突設してスロットＳを形成している一方、他端には雌端子２０ｄを形成しており、圧接刃２０ａに隣接した筒部２０ｂと該雌端子２０ｄとの間の凹部を被係止部２０ｃとしている。
【００１７】
電線ｗ１、ｗ２と中継端子２０との接続は、図３（Ａ）に示すように、まず、電線ｗ１、ｗ２の端部を中継端子２０の圧接刃２０ａの間のスロットＳに先端２０ａ−１より挿入し、圧接刃２０ａにより電線ｗ１、ｗ２の被覆を皮剥ぎして導通を図っている。この時、圧接刃２０ａはテーパー形状となっているので、強い力で押し込まなくてもスムーズに挿入することができる。
【００１８】
次いで、電線ｗ１、ｗ２が圧接された状態で、圧接刃２０ａの先端２０ａ−１間をガス溶接により金属を溶融させて、スロットＳを閉鎖する溶接部Ｙを設けている。
なお、溶接方法の変形例として、図３（Ｂ）に示すように、圧接刃２０ａを電線ｗ１、ｗ２と共に溶接してもよい。
【００１９】
また、別の中継端子４０は、図４（Ａ）（Ｂ）に示すように、一端にテーパー部４０ａ−１を有する一対の圧接刃４０ａを突設してスロットＳを形成している一方、他端には短冊状の雄端子４０ｄを突出させており、該圧接刃４０ａに隣接して筒部４０ｂを形成し、該筒部４０ｂと雄端子４０ｄと間には被係止部４０ｃを穿設している。なお、電線ｗ１、ｗ２と中継端子４０との接続は、上述の中継端子２０と同様であるため説明を省略する。
【００２０】
上記電線ｗ１、ｗ２の端部に接続された中継端子２０は、図５に示すように、内面に係止爪１８ａを突設したキャビティ１８にケース底面１１ａ側より挿入し、中継端子２０の被係止部２０ｃに係止爪１８ａを係止している。
ケース底面１１ａには、図８に示すように、電線ガイドとなる一対のリブ１７を所要位置に突設しており、中継端子２０に接続された電線ｗ１、ｗ２を該リブ１７間に嵌めながらケース底面１１ａに沿って配策している。
【００２１】
残りのキャビティ１８には、外部のワイヤハーネスを構成する外部電線ｗ３の端末に圧着された端子２１を挿入し、キャビティ１８の係止部１８ａを端子２１の被係止部２１ｃに係止している。
つまり、キャビティ１８は、中継端子２０と外部電線ｗ３に圧着された端子２１のどちらでも収容係止できる形状で共用キャビティとしている。
なお、中継端子２０は先端を雌端子形状としているので、リレー収容部１３（またはヒューズ収容部１２）に位置するキャビティ１８に挿入されるものとしている。
【００２２】
上記電線ｗ１、ｗ２の端部に接続された別の中継端子４０は、図６に示すように、内面に係止爪１８ａ’を突設したキャビティ１８’にケース底面１１ａ側より挿入し、中継端子４０の被係止部４０ｃに係止爪１８ａ’を係止していると共に、雄端子４０ｄをコネクタ収容部１４内に突出させている。
残りのキャビティ１８’には、外部のワイヤハーネスを構成する外部電線ｗ３の端末に圧着された端子４１を挿入し、キャビティ１８’の係止部１８ａ’を端子４１の被係止部４１ｃに係止すると共に、雄端子４１ｄをコネクタ収容部１４内に突出させている。
即ち、キャビティ１８’も同様に、中継端子４０と外部電線ｗ３に圧着された端子４１とのどちらでも収容係止できる形状としている。
【００２３】
また、図１に示すように、電源分配回路は電線ではなく縦バスバー１５により回路間接続している。
具体的には、図７（Ａ）に示すように、圧接スロット１５ａ−１を有する圧接タブ１５ａを等間隔に突出した縦バスバー１５を、並列状態のヒューズ収容部１２にケース底面１１ａから挿入し、該圧接タブ１５ａをヒューズ収容部１２内に突出させて、ヒューズ（図示せず）の端子と圧接接続する構成としている。
また、縦バスバー１５はヒューズ収容部１２への回路形成のみならず、リレー収容部１３やコネクタ収容部への電源分配回路となる大電流回路にも用いられる。
【００２４】
また、縦バスバーの変形例として、図７（Ｂ）に示すように、短冊形状の縦バスバー１９を並列状態のヒューズ収容部１２に収容された各端子３０の下端の圧接部３０ａに圧入してケース底面１１ａに配置し、端子３０の上端の圧接部３０ｂにはヒューズ収容部１２に収容されたヒューズ（図示せず）の端子が圧接接続される構成としてもよい。
【００２５】
【発明の効果】
以上の説明より明らかなように、本発明によれば、電線をリレーブロックのケース底面のガイドに沿って配策しており、電線がケースの外側に垂れ下がることがないので、搬送中や車両への組付作業時などに、該電線を引っ掛けてしまうことがなく、作業能率の向上や電気接続箱の品質向上を図ることができる。
また、上記中継端子の圧接刃に電線を圧接接続し、圧接刃先端と電線あるいは圧接刃全体と電線とを溶接しているので、該圧接接続部の接続信頼性が向上すると共に、該圧接接続部を保護するカバー等も不要とすることができる。
さらに、電線が垂れ下がらず、カバーも被せる必要がないので、電気接続箱自体の低背化にも貢献する。
【００２６】
また、ケース底面に電線ガイドを設けることで、上記電線は電線ガイドに沿って配策すればよく作業性が向上すると共に、配策後も電線が電線ガイドにより位置決めされ、電線がバラけることのを防ぐことができる。
さらに、ケース底面に沿って配策される電線に接続される中継端子の端子収容部を、外部電線の端末に圧着接続された端子の収容部と共用できる形状とすることで、回路変更の際にもケースを新たに起工することなくフレキシブルに対応することができる。
【図面の簡単な説明】
【図１】  本発明の実施形態に係るリレーブロック（電気接続箱）の底面図である。
【図２】  （Ａ）は雌端子を有する中継端子の上面図、（Ｂ）は側面図、（Ｃ）は正面図である。
【図３】  （Ａ）は中継端子と電線との接続を示す上面図、（Ｂ）は変形例の上面図である。
【図４】  （Ａ）は雄端子を有する中継端子の上面図、（Ｂ）は側面図である。
【図５】  リレーブロックの要部断面図である。
【図６】  リレーブロックの要部断面図である。
【図７】  （Ａ）は縦バスバーの斜視図、（Ｂ）は変形例の縦バスバーと端子との圧接を示す斜視図である。
【図８】  電線ガイドへの電線の配策を示す図面である。
【図９】  （Ａ）は従来の電気接続箱の斜視図、（Ｂ）は要部概略断面図である。
【符号の説明】
１０            リレーブロック（電気接続箱）
１１            ケース
１２            ヒューズ収容部
１３            リレー収容部
１４            コネクタ収容部
１５            縦バスバー
１６            ブラケット
１７            リブ（電線ガイド）
１８            キャビティ（収容係止部）
１８ａ          係止爪
２０、４０      中継端子
２０ａ、４０ａ  圧接刃
２１、４１      端子
Ｓ              スロット
ｗ１、ｗ２      電線
ｗ３            外部電線
Ｙ          溶接部
【図１】
0004176360.tif 000002
【図２】
0004176360.tif 000003
【図３】
0004176360.tif 000004
【図４】
0004176360.tif 000005
【図５】
0004176360.tif 000006
【図６】
0004176360.tif 000007
【図７】
0004176360.tif 000008
【図８】
0004176360.tif 000009
【図９】
0004176360.tif 000010